(57)【要約】【課題】異なる大きさの棚載置物の寸法にそれぞれ応じた間口を有する流動棚セグメントを組立容易に構成する。【解決手段】複数連設されて流動棚を構成可能な直方枠体状の流動棚セグメント１０を構成する横辺部２０−２６および縦辺部２８−３４は、２つの横連結部および２つの縦連結部４０の間に、載置物の寸法に応じて適した長さのものが選択される横中間部材５６および縦中間部材６４が連結ピン部材４２，８２の挿入により連結固定されて構成される。【選択図】図１
2010143700.tif 000002
【特許請求の範囲】
【請求項１】
複数連設されて流動棚を構成可能な直方枠体状の流動棚セグメントであって、
前記流動棚セグメントは、前後方向にそれぞれ沿う４つの奥行き辺部と、左右方向にそれぞれ沿う４つの横辺部と、上下方向にそれぞれ沿う４つの縦辺部と、前記横辺部のうち２つの下側横辺部間に後方から前方に向かって下り傾斜状態に架設され、その上に載置される載置物を後方から流動棚セグメントの間口側へと流動させる流動部材とを含み、
前記奥行き辺部の両端部には、横方向および縦方向にそれぞれ突出し上面または両側面にピン挿入穴が形成された中空の横連結部および縦連結部が設けられており、
前記横辺部は、両端側に位置する２つの前記横連結部と、両端部が前記横連結部にそれぞれ挿入された状態で両端部近傍に形成された連結穴に前記ピン挿入穴を介して連結ピン部材がそれぞれ挿入されることによって前記２つの横連結部間に固定される横中間部材とからなり、
前記縦辺部は、両端側に位置する２つの前記縦連結部と、両端部が前記縦連結部にそれぞれ挿入された状態で両端部近傍に形成された連結穴に前記ピン挿入穴を介して連結ピン部材がそれぞれ挿入されることによって前記２つの縦連結部間に固定される縦中間部材とからなり、
前記横中間部材および縦中間部材は、前記流動棚セグメント内に載置される載置物の寸法に応じて適した長さのものが選択されることを特徴とする、流動棚セグメント。
【請求項２】
請求項１に記載の流動棚セグメントにおいて、
前記横辺部のうち２つの上側横辺部の上面には、複数の連結凸部が前記横方向に所定間隔で突設されており、前記横辺部のうち２つの下側横辺部の下面には、前記連結凸部が挿入される複数の連結凹部が前記連結凸部と等間隔で形成されていることを特徴とする、流動棚セグメント。
【請求項３】
請求項１に記載の流動棚セグメントにおいて、
前面コーナー部には連結突起が前方に向けて突設されており、前記流動棚セグメントの後面コーナー部には前記連結突起が挿入される連結突起挿入穴が形成されていることを特徴とする、流動棚セグメント。
【請求項４】
請求項３に記載の流動棚セグメントにおいて、
前記連結突起のうち下方前面コーナー部に突設された２つの連結突起にはピン挿入穴が形成されており、流動棚セグメントに載置された載置物が前方に向かって下方傾斜した前記流動部材から脱落するのを防止するためのストッパ部材の２つ脚部が前記連結突起のピン挿入穴に挿入されて前記ストッパ部材が取り付けられることを特徴とする、流動棚セグメント。
【請求項５】
請求項１に記載の流動棚セグメントにおいて、
前記流動部材は、前方下側横辺部に形成されるピン挿入穴に挿入される前方取付ピンと、後方下側横辺部に形成されるピン挿入穴に挿入される後方取付ピンとを有し、前記前方取付ピンの長さを前記後方取付ピンのそれよりも短く設定することで、前記２つの下側横辺部間に架設されたときに後方から前方に向かって下り傾斜状態に設置されることを特徴とする、流動棚セグメント。
【請求項６】
請求項５に記載の流動棚セグメントにおいて、
前記流動部材の各取付ピンとこれが挿入される前記下側横辺部のピン挿入穴は、前記連結ピン部材およびこれが挿入される前記ピン挿入穴よりも大径に形成されており、前記流動部材の各取付ピンは、前記下側横辺部の下面に形成された前記連結凹部である貫通孔を介して下方から挿入される前記連結凸部を受入れ可能なように前記取付ピンの下端面に開口する連結凸部挿入穴を有することを特徴とする、流動棚セグメント。
【請求項７】
請求項１から６のいずれか一項に記載の流動棚セグメントを上下方向、左右方向及び前後方向にそれぞれ複数連設して構成される、流動棚。
【発明の詳細な説明】
【技術分野】
【０００１】
本発明は、流動棚セグメント及びこれを用いて構成される流動棚に係り、特に、上下・左右・前後方向にそれぞれ複数連設することにより流動棚を構成可能な流動棚セグメント及びこれを用いた流動棚に関する。
【背景技術】
【０００２】
従来、例えば倉庫や部品供給場において、各種の製品や部品を収納したプラスチック製または段ボール製の保管箱等の載置物を載置して保管する流動棚が用いられている。この流動棚を構成する複数の棚段には、それぞれ、多数のローラを回転可能に配列して支持するローラフレームが棚の奥側から作業者がいる間口側に向かって下方傾斜状態に設けられているのが一般的である。これにより、流動棚の正面側すなわち各棚段の間口が臨む通路にいる作業者が最も手前側の載置物を棚段から取り出すと、その奥側にある載置物が重力作用によってローラフレーム上を作業者側に向かって移動してくるように構成されている。なお、このような流動棚において、棚段から載置物が落下しないように、通常、各棚段の正面間口の下部または上記ローラフレームの前端部等の位置にストッパ部材が設けられる。
【０００３】
上記のような流動棚が上下方向および水平方向にそれぞれ配列された複数の棚段で構成される場合、各棚段の大きさ、すなわち作業者側に臨む各棚段の間口の大きさが画一的であると、種々の大きさの載置物を流動棚に載置して収容したときに、各棚段において無駄になる保管スペースが生じやすい。
【０００４】
例えば、図１１に示す流動棚１００では、間口が同じ大きさの２つの棚段１０２，１０４が上下２段に配列されており、棚段１０２，１０４に大きさが異なる４種類の箱型載置物Ａ，Ｂ，Ｃ，Ｄが積載して収容されている。この場合、各棚段１０２，１０４には、一点鎖線１０６，１０８，１１０，１１２で示す領域が保管スペースとしては無駄になっている。したがって、画一的大きさの棚段が上下および水平方向に多数配列されて構成される大規模な流動棚になると、保管スペースにかなりの無駄が発生することになる。
【０００５】
また、作業場所となる通路に沿った全体の間口長が例えば数百メートルにもなる大規模な流動棚では、載置物である保管箱から部品等を取り出す作業者の移動距離が長くなることで作業効率の低下を招くため、上記のような保管スペースの無駄をできるだけ発生しないよう流動棚を構成して全体間口長を短くすることが望ましい。
【０００６】
ここで、例えば特許文献１には、間口可変型流動棚が開示されている。この流動棚では、前後に離間して立設された２本の支柱を備えた左右一対のフレーム（１，１）の下部間を下部伸縮連杆（３，３）で連結するとともに、上記一対のフレーム（１，１）の上部間を上部伸縮連杆（４，４）で連結して枠組み構成し、左右のフレーム（１，１）の対向面にそれぞれブラケット（５）で支持して案内具（６）を取り付け、前記下部伸縮連杆と上部伸縮連杆とを伸縮調整することによって流動棚の間口を可変とすることが記載されている。
【０００７】
【特許文献１】特開２０００−１９１１１５号公報
【発明の開示】
【発明が解決しようとする課題】
【０００８】
しかしながら、上記特許文献１の流動棚では、下部および上部の伸縮連杆の各両端がボルトおよびナットでフレームに対して固定される構成になっており、流動棚の組立作業が煩雑なものになる。このことは、複数または多数の間口を上下方向および水平方向に配列してなる大型の流動棚では特に顕著になる。
【０００９】
また、上記特許文献１の流動棚では、載置物の寸法に応じて間口を可変とすることが記載されているだけで、棚間口が上下方向および水平方向に多数並んで構成される大型の流動棚において、如何にして無駄な保管スペースを省いて棚全体の水平方向の間口長を短くできるかについては全く考慮されていない。
【００１０】
本発明の目的は、異なる大きさの棚載置物の寸法にそれぞれ応じた間口を有する流動棚セグメントを組立容易に構成するとともに、このような間口サイズが異なる複数の流動棚セグメントを上下方向および左右方向に連設することにより無駄な保管スペースを極力小さくして全体間口長を短くできる流動棚を提供することにある。
【課題を解決するための手段】
【００１１】
本発明に係る流動棚セグメントは、複数連設されて流動棚を構成可能な直方枠体状の流動棚セグメントであって、前記流動棚セグメントは、前後方向にそれぞれ沿う４つの奥行き辺部と、左右方向にそれぞれ沿う４つの横辺部と、上下方向にそれぞれ沿う４つの縦辺部と、前記横辺部のうち２つの下側横辺部間に後方から前方に向かって下り傾斜状態に架設され、その上に載置される載置物を後方から流動棚セグメントの間口側へと流動させる流動部材とを含み、前記奥行き辺部の両端部には、横方向および縦方向にそれぞれ突出し上面または両側面にピン挿入穴が形成された中空の横連結部および縦連結部が設けられており、前記横辺部は、両端側に位置する２つの前記横連結部と、両端部が前記横連結部にそれぞれ挿入された状態で両端部近傍に形成された連結穴に前記ピン挿入穴を介して連結ピン部材がそれぞれ挿入されることによって前記２つの横連結部間に固定される横中間部材とからなり、前記縦辺部は、両端側に位置する２つの前記縦連結部と、両端部が前記縦連結部にそれぞれ挿入された状態で両端部近傍に形成された連結穴に前記ピン挿入穴を介して連結ピン部材がそれぞれ挿入されることによって前記２つの縦連結部間に固定される縦中間部材とからなり、前記横中間部材および縦中間部材は、前記流動棚セグメント内に載置される載置物の寸法に応じて適した長さのものが選択されるものである。
【００１２】
本発明に係る流動棚セグメントにおいて、前記横辺部のうち２つの上側横辺部の上面には、複数の連結凸部が前記横方向に所定間隔で突設されており、前記横辺部のうち２つの下側横辺部の下面には、前記連結凸部が挿入される複数の連結凹部が前記連結凸部と等間隔で形成されていることが好ましい。
【００１３】
また、本発明に係る流動棚セグメントにおいて、前面コーナー部には連結突起が前方に向けて突設されており、前記流動棚セグメントの後面コーナー部には前記連結突起が挿入される連結突起挿入穴が形成されていることが好ましい。
【００１４】
また、本発明に係る流動棚セグメントにおいて、前記連結突起のうち下方前面コーナー部に突設された２つの連結突起にはピン挿入穴が形成されており、流動棚セグメントに載置された載置物が前方に向かって下方傾斜した前記流動部材から脱落するのを防止するためのストッパ部材の２つ脚部が前記連結突起のピン挿入穴に挿入されて前記ストッパ部材が取り付けられてもよい。
【００１５】
また、本発明に係る流動棚セグメントにおいて、前記流動部材は、前方下側横辺部に形成されるピン挿入穴に挿入される前方取付ピンと、後方下側横辺部に形成されるピン挿入穴に挿入される後方取付ピンとを有し、前記前方取付ピンの長さを前記後方取付ピンのそれよりも短く設定することで、前記２つの下側横辺部間に架設されたときに後方から前方に向かって下り傾斜状態に設置されてもよい。
【００１６】
この場合、前記流動部材の各取付ピンとこれが挿入される前記下側横辺部のピン挿入穴は、前記連結ピン部材およびこれが挿入される前記ピン挿入穴よりも大径に形成されており、前記流動部材の各取付ピンは、前記下側横辺部の下面に形成された前記連結凹部である貫通孔を介して下方から挿入される前記連結凸部を受入れ可能なように前記取付ピンの下端面に開口する連結凸部挿入穴を有してもよい。
【００１７】
そして、本発明に係る流動棚は、前記いずれかの構成を有する本発明に係る流動棚セグメントを上下方向、左右方向および前後方向にそれぞれ複数連設して構成されるものである。
【発明の効果】
【００１８】
本発明に係る流動棚セグメントによれば、棚内に載置される載置物の寸法に応じて適した長さの中間部材を選択して、その両端部を奥行き辺部の横連結部および縦連結部に対して連結ピン部材を挿入して固定するだけで、流動棚セグメントの組立が完了する。これにより、棚内に載置物の寸法に応じて間口大きさが可変である流動棚セグメントを簡単に組み立てることができる。
【００１９】
また、２つの上側横辺部の上面に複数の連結凸部が前記横方向に所定間隔で突設され、２つの下側横辺部の下面に前記連結凸部が挿入される複数の連結凹部が前記連結凸部と等間隔で形成されている流動棚セグメントによれば、寸法の異なる各種の載置物の載置および保管にそれぞれ適した間口大きさに組み立てられた複数の流動棚セグメントを、左右方向に並べて連設するとともに、前記連結凸部を前記連結凹部に挿入してブロック玩具のように上下方向に連結して、流動棚を構成することができる。このように構成される流動棚は、各流動棚セグメントがそこに載置される載置物の大きさに適したものになっているため流動棚セグメント内での保管スペースの無駄を小さくすることができることから、この流動棚セグメントが多数組み合わされて構成される流動棚の全体について見れば、無断になる保管スペースの発生を大きく抑制することができる。それに加えて、間口大きさが異なる流動棚セグメントを組み合わせることによって流動棚セグメント間に生まれる余裕スペースを新たな保管スペースとして有効活用することができる。
【発明を実施するための最良の形態】
【００２０】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。
【００２１】
図１は本発明の１つの実施の形態である流動棚セグメント１０を示す斜視図である。図１において、棚内の載置物である例えば部品箱から部品取り出し作業を行う作業者から見て、間口１１側を「前」、その反対の奥側を「後」、水平方向である横方向を「左」および「右」、鉛直方向である縦方向（高さ方向ともいう。）の「上」および「下」として示している。また、図２〜７は流動棚セグメント１０の各部の連結状態を示す斜視図、図８は流動棚セグメント１０の下面図である。
【００２２】
図１に示すように、直方枠体状をなす流動棚セグメント１０は、前後方向にそれぞれ沿う４つの奥行き辺部１２，１４，１６，１８と、左右方向にそれぞれ沿う４つの横辺部２０，２２，２４，２６と、上下方向にそれぞれ沿う４つの縦辺部２８，３０，３２，３４と、横辺部２０，２２，２４，２６のうち２つの下側横辺部２４，２６間に後方から前方に向かって下り傾斜状態に架設され、その上に載置される載置物を後方から流動棚セグメント１０の間口１１側へと流動させる流動部材としての２本のローラフレーム３６（図３において１本の前端部のみを図示）とを含んで構成される。
【００２３】
各奥行き辺部１２−１８の両端部には、中空の横連結部３８と縦連結部４０とが横方向および縦方向にそれぞれ突出して設けられている。横連結部３８および縦連結部４０を有する奥行き辺部１２−１８は、例えば金属製の角型パイプを用いて適宜に切断、溶接等することによって好適に形成されることができるが、例えば丸型パイプ等の他の形状の中空パイプで構成されてもよい。
【００２４】
２つの上側横辺部２０，２２の横連結部３８の先端部近傍の上面には、図２に示すように、連結ピン部材４２が挿入される第１のピン挿入穴４４が形成されている。連結ピン部材４２は、例えば円柱状の棒状部材が好適に用いられるが、角柱状等の他の形状の棒状部材が用いられてもよい。また、第１のピン挿入穴４４は、連結ピン部材４２を容易に挿入できるように、連結ピン部材４２の直径よりも若干大きい直径Ｃ１の円形穴に形成されている。
【００２５】
また、２つの下側横辺部１６，１８の横連結部３８の先端部近傍の上面には、図３に示すように、ローラフレーム３６の前後端部の下部に固定された取付ピン４６を挿入するための第２のピン挿入穴４８が形成されている。上記ローラフレーム３６の取付ピン４６は、上記連結ピン部材４２よりも大径の円柱状部材から形成されている。第２のピン挿入穴４８は、フレームローラ３６の取付ピン４６を容易に挿入できるように、取付ピン４６の直径よりも若干大きい直径Ｃ２（第1のピン挿入穴４４の直径Ｃ１よりも大きい）の円形穴に形成されている。
【００２６】
さらに、上記２つの下側横辺部１６，１８の横連結部３８の下面には、上記第２のピン挿入穴４８に同心上に対向する円形貫通孔からなる連結凹部５０が形成されている。この連結凹部５０は、上記第１のピン挿入穴４４と同じ大きさに形成されている。一方、フレームローラ３６の取付ピン４６は、下端面に開口する連結凸部挿入穴４７を有する。この取付ピン４６の連結凸部挿入穴４７は、横連結部３８の連結凹部５０の下方から上記連結凹部５０を介して挿入される後述する連結凸部５２を受け入れ可能にするものである。
【００２７】
流動棚セグメント１０のロ字状をなす上面の４つのコーナー部、すなわち上側横辺部２０，２２の上面両端部には、円柱状の連結凸部５２がそれぞれ立設されている。この連結凸部５２は、上記連結ピン部材４２と同じ形状および直径を有しており、溶接等の方法で上側横辺部２０，２２上に固定されている。また、図２に示すように、連結凸部５２の中心と横連結部３８のピン挿入穴４４の中心との間は、所定距離ｄに設定されている。
【００２８】
なお、連結凸部５２の先端部は、連結凹部５０への挿入ガイド機能を果たさせるように、頂部を丸く形成した略円錐台形状、あるいは、略半球状に形成されてもよい。このことは、流動棚セグメント１０を組み立てたときに、横連結部３８の上面から突出した部分が連結凸部５２として機能する連結ピン部材４２の上端部についても同様である。
【００２９】
図４に示すように、奥行き辺部１２−１８の縦連結部４０の先端部近傍の両側面には、ピン挿入穴５４，５４が対向して形成されている。ピン挿入穴５４は、上記横連結部３８のピン挿入穴４４と同一形状および直径に形成されるのが好ましい。
【００３０】
流動棚セグメント１０を構成する各横辺部２０−２６は、両端側に位置する２つの上記横連結部３８，３８と、これら横連結部３８，３８間に固定配置される横中間部材５６とからなっている。上側横辺部２０，２２を構成する横中間部材５６の両端部近傍の上面には、図２に示すように、横連結部３８のピン挿入穴４４と同様である直径Ｃ１の円形連結穴５８がそれぞれ形成されている。
【００３１】
ここで、流動棚セグメント１０の組立時に横連結部３８のピン挿入穴４４を介して横中間部材５６の円形連結穴５８に連結ピン部材４２が挿入されたとき、上側横辺部２０，２２上に突出する２本の連結ピン部材４２の上部すなわち連結凸部５２の中心間距離が上記所定距離ｄの整数倍となるように、横中間部材５６における円形連結穴５８の位置が設定されている。これにより、間口寸法が異なる２つの流動棚セグメント１０が上下に連結するときに、流動棚セグメント１０の上面にあるすべての連結凸部５２が流動棚セグメント１０の下面にある連結凹部５０（図８参照）へ挿入されることができる。また、図３に示すように、下側横辺部２４，２６を構成する横中間部材５６の両端部近傍には、その上面に横連結部３８の上面のピン挿入穴４８と同様である直径Ｃ２の円形連結穴６０が形成され、その下面には上記横連結部３８の下面の連結凹部５０と同様である直径Ｃ１の円形連結穴６２が形成されている。
【００３２】
なお、横中間部材５６の連結穴５８−６２は、横方向に所定間隔ｄで複数形成されてもよい。このようにすれば、後述する流動棚セグメント１０の組立時に、横中間部材５６の端部を横連結部３８内に挿入可能な範囲において、連結ピン部材４２およびローラフレーム取付ピン４６を挿入する連結穴５８，６０を選択することにより同一の横中間部材５６で横辺部２０−２６の長さ、すなわち流動棚セグメント１０の間口１１の幅を可変とすることができる。
【００３３】
流動棚セグメント１０を構成する各縦辺部２８−３４もまた、両端側に位置する２つの上記縦連結部４０，４０と、これら縦連結部４０，４０間に固定配置される縦中間部材６４とからなっている。縦中間部材６４の両端部近傍の両側面には、図３に示すように、縦連結部４０のピン挿入穴５４と同様である直径Ｃ１の円形連結穴６６，６６が対向して形成されている。
【００３４】
上記横中間部材５６および縦中間部材６４は、幾種類かの長さのものが予め用意されており、そのうち流動棚セグメント１０内に載置される載置物の縦横寸法や積載段数等に応じて適した長さのものが選択されるものである。これにより、流動棚セグメント１０は、載置物の大きさに適した幅および高さの間口１１を有するように組み立てられる。
【００３５】
図３に示すように、ローラフレーム３６は、少なくとも外周部が例えばウレタンゴム等の弾性材料で形成されるローラ６８が前後方向または奥行き方向に整列した状態で両側のフレームプレート３７，３７にそれぞれ回転可能に支持されて構成されている。また、ローラフレーム３６は、前端部および後端部の下部に前方取付ピン４６および後方取付ピン（図示せず）を有しているが、前方取付ピン４６の長さは後方取付ピンの長さよりも短く形成されている。これにより、前方および後方取付ピンを下側横辺部２４，２６のピン挿入穴４８に挿入してローラフレーム３６を流動棚セグメント１０に取り付けたときに、ローラフレーム３６が後方から前方に向かって下り傾斜した状態で設置されることになり、流動棚セグメント１０内においてローラフレーム３６上に載置された載置物が重力作用によって前方すなわち間口１１の方向へ流動するようになっている。
【００３６】
なお、複数の流動棚セグメント１０を前後方向に複数連設して流動棚を構成する場合に、各流動棚セグメント１０に設置されるローラフレーム３６が段差なく連なるように、取付ピン４６が最前列の流動棚セグメント１０用のローラフレーム３６よりも長く形成されている２列目用のローラフレーム３６や３列目用のローラフレーム３６が用意されている。また、本実施形態では複数のローラを回転可能に配列支持してなるローラフレームで流動部材が構成されているが、これに限定させず、間口側へ向けて載置物を間口側へ流動させることができる機能を有するものであれば、他の方式のもの、例えば回転ベルト式等のもので流動部材が構成されてもよい。
【００３７】
図１を再び参照すると、流動棚セグメント１０のロ字状をなす前面の４つのコーナー部には、角型パイプからなる連結突起７０が前方に向けてそれぞれ突設されている。連結突起７０の上面には、例えば直径Ｃ１の円形貫通孔からなるピン挿入穴７２が形成されている。一方、動棚セグメント１０のロ字状をなす後面の４つのコーナー部には、図６に１つだけ図示するように、複数の流動棚セグメント１０を前後方向に連設するときに上記連結突起７０が挿入される矩形貫通孔からなる連結突起挿入穴７４がそれぞれ形成されている。
【００３８】
なお、図６において一点鎖線で示すように、流動棚セグメント１０の奥行き辺部１６の上面に直径Ｃ１の円形貫通孔７６を形成しておき、連結突起挿入穴７４から挿入された連結突起７０のピン挿入穴７２に上記円形貫通孔７６を介して連結ピン部材４２を挿入すれば、前後に連設された２つの流動棚セグメント１０の連結状態をより確実に維持することができる。
【００３９】
また、図７に示すように、上記連結突起７０のうち流動棚セグメント１０の下方前面コーナー部に突設された２つの連結突起７０のピン挿入穴７２にストッパ部材７８の２つの円柱状脚部８０を挿入することによって、ローラフレーム３６上に載置された載置物が流動棚セグメント１０から脱落するのを防止するためのストッパ部材７８を流動棚セグメント１０に取り付けることができる。ここで、ストッパ部材７８は、図示するような平板状のものでなくても、略コ字状をなすように２つの脚部が直角に折り曲げられて形成される棒状部材で構成されてもよい。
【００４０】
図８に、流動棚セグメント１０のロ字状をなす下面を示す。前後の下側横辺部２４，２６の各下面、すなわち横連結部３８および横中間部材５６の下面には、直径Ｃ１の円形穴からなる連結凹部５０が横方向に所定の等間隔ｄで一直線上に整列して複数（本実施形態では５つ）形成されている。これにより、流動棚セグメント１０の上面にある連結凸部５２を流動棚セグメント１０の下面の連結凹部５０に挿入することで、流動棚セグメント１０を上下方向に積み重ねて連結することができる。また、上述したように複数の連結凹部５０が等間隔ｄで形成されているため、異なる大きさの間口１１を有する流動棚セグメント１０を横方向にずらして積み重ねた場合でも連結凸部５２が連結凹部５０に挿入されるようになっている。
【００４１】
続いて、上記構成からなる流動棚セグメント１０の組み立てについて説明する。まず、流動棚セグメント１０内に載置される載置物の縦横寸法や予定される積載段数に応じて適した長さの横中間部材５６および縦中間部材６４が４本ずつ選択される。このとき、上側横辺部２０，２２を構成する横中間部材５６には、直径Ｃ１の連結穴５８が形成されているものが選択され、下側横辺部２４，２６を構成する横中間部材５６には、ローラフレーム取付用の直径Ｃ２の連結穴６０が形成されているものが選択される。
【００４２】
そして、図２に示すように、上側横辺部２０，２２については、横中間部材５６の両端部を奥行き辺部１２，１４の横連結部３８にそれぞれ挿入し、連結ピン部材４２をピン挿入穴４４を介して横中間部材５６の連結穴５８に挿入する。これにより、上側奥行き辺部１２，１４間に横中間部材５６が固定される。また、図３に示すように、下側横辺部２４，２６については、横中間部材５６の両端部を奥行き辺部１６，１８の横連結部３８にそれぞれ挿入し、ローラフレーム３６の取付ピン４６をピン挿入穴４８を介して横中間部材５６の連結穴６０に挿入する。これにより、下側横辺部２４，２６間に横中間部材５６が固定されるとともに、２本のローラフレーム３６が前後の下側横辺部２４，２６間に架設される。
【００４３】
それから、図４に示すように、縦中間部材６４の両端部を奥行き辺部１２−１８の縦連結部４０にそれぞれ挿入し、フランジ付き連結ピン部材８２を縦連結部４０の一方側面のピン挿入穴５４から縦中間部材６４の２つの連結穴６６，６６を貫いて挿入した後、縦連結部４０の他方側面のピン挿入穴５４に臨んだフランジ付き連結ピン部材８２の先端にフランジ付きキャップ８４を嵌合装着する。これにより、先に組みつけられた上側奥行き辺部１２，１４と下側奥行き辺部１６，１８とが連結されて、流動棚セグメント１０の組み立てが完了する。
【００４４】
なお、上述した流動棚セグメント１０の組立手順は、一例に過ぎず、異なる手順で組み立てられてもよい。
【００４５】
このように、本実施形態の流動棚セグメント１０によれば、棚内に載置される載置物の寸法や積載段数に応じて適した長さの縦横の中間部材５６，６４を選択して、その両端部を奥行き辺部１２−１８の横連結部３８および縦連結部４０に対して連結ピン部材４２，８２を挿入して固定するだけで、流動棚セグメント１０の組立が完了する。これにより、棚内に載置される載置物の大きさに適した幅および高さの間口１１を有する流動棚セグメント１０を非常に簡単に組み立てることができる。
【００４６】
次に、図９，１０も参照して、間口寸法が異なる複数の流動棚セグメント１０を上下方向、左右方向および前後方向にそれぞれ複数連設して、流動棚１を構成する手順について説明する。
【００４７】
図９は、異なる間口寸法の流動棚セグメント１０を上下方向、左右方向、および前後方向にそれぞれ複数連設して構成される流動棚１の組立手順を示す図であり、図１０は図９の流動棚１を間口側からみた正面図である。ここでは、大きさが異なる４種類の箱型載置物Ａ，Ｂ，Ｃ，Ｄにそれそれぞれ適した間口寸法に組み立てられている流動棚セグメント１０Ａ，１０Ｂ，１０Ｃ，１０Ｄを用いて流動棚１が構成される例について説明する。
【００４８】
まず、図９（ａ）に示すように、上述したような手順で載置物Ａ用の流動棚セグメント１０Ａが組み立てられる。それから、図９（ｂ）に示すように、複数（ここでは３つ）の流動棚セグメント１０Ａが図６を参照して説明したようにして前後方向に連結されて流動棚セグメント列２Ａが構成される。同様にして、箱型載置物Ｂ，Ｃ，Ｄに対応した流動棚セグメント列２Ｂ，２Ｃ，２Ｄを組み立てる。
【００４９】
そして、最後に、図９（ｃ）および図１０に示すように、流動棚セグメント列２Ａおよび２Ｂを左右方向に密接に並べて連設し、上記連結凹部５０に上記連結凸部５２を挿入することにより、流動棚セグメント列２Ａの上に流動棚セグメント列２Ｃを、流動棚セグメント列２Ｂの上に流動棚セグメント列２Ｄをそれぞれ積み重ねて連結することで、流動棚１が完成する。
【００５０】
上述したように本実施形態の流動棚１は、寸法の異なる各種の載置物Ａ，Ｂ，Ｃ，Ｄの載置および保管にそれぞれ適した間口１１の大きさに組み立てられた複数の流動棚セグメント１０Ａ，１０Ｂ，１０Ｃ，１０Ｄを、左右方向に並べて連設するとともに、上記連結凹部５０に上記連結凸部５２を挿入してブロック玩具のように上下方向に連結して、流動棚１を構成することができる。
【００５１】
このように構成される流動棚１は、各流動棚セグメント１０Ａ−１０Ｄがそこに載置される載置物Ａ，Ｂ，Ｃ，Ｄの寸法や積載段数にそれぞれ適したものになっているため流動棚セグメント１０Ａ−１０Ｄ内での保管スペースの無駄を小さくすることができる。その結果、このような流動棚セグメント１０Ａ−１０Ｄが多数組み合わされて構成される流動棚１の全体について見れば、無断になる保管スペースの発生を大きく抑制することができる。
【００５２】
加えて、図１０において一点鎖線で示すように、間口大きさが異なる流動棚セグメント１０Ａ−１０Ｄを組み合わせることによって生まれる余裕スペース９０，９２を新たな保管スペースとして有効活用することができる。なお、図１０に示す流動棚１が載置されるベースプレート９４上に上記連結凸部５２を立設しておき、それを最下段の流動棚セグメント１０の連結凹部５０に挿入した状態で流動棚１を設置するのが好ましい。これにより、流動棚１の横方向の移動を防止できる。
【００５３】
このように保管スペースの無駄発生の抑制と余裕スペースの有効活用によって流動棚１の収容能力が向上することから、上記のような各種大きさの流動棚セグメントを多数連設して構成される大規模な流動棚では特に、横方向（水平方向）の棚全体の間口長を短縮することができ、これにより流動棚から部品等の取り出し作業を行う作業者の作業効率が向上することとなる。
【図面の簡単な説明】
【００５４】
【図１】本発明の一実施形態である流動棚セグメントの斜視図である。
【図２】流動棚セグメントの上側横辺部における連結状態を示す斜視図である。
【図３】流動棚セグメントの下側横辺部における連結状態とローラフレームの取付状態を示す斜視図である。
【図４】流動棚セグメントの縦辺部における連結状態を示す斜視図である。
【図５】流動棚セグメントの上側横辺部とその上に載置される流動棚セグメントの下側横辺部とを示す斜視図である。
【図６】流動棚セグメントの前後方向の連結状態を示す斜視図である。
【図７】流動棚セグメントにストッパ部材を取り付ける様子を示す斜視図である。
【図８】流動棚セグメントの下面図である。
【図９】（ａ）〜（ｃ）は、流動棚セグメントを組み立てて流動棚を構成する手順を示す図である。
【図１０】図９（ｃ）に示す流動棚の正面図である。
【図１１】従来の流動棚の一例を示す正面図である。
【符号の説明】
【００５５】
１  流動棚、２Ａ，２Ｂ，２Ｃ，２Ｄ  流動棚セグメント列、１０，１０Ａ，１０Ｂ，１０Ｃ，１０Ｄ  流動棚セグメント、１１  間口、１２，１４，１６，１８  奥行き辺部、２０，２２，２４，２６  横辺部、２８，３０，３２，３４  縦辺部、３６  ローラフレーム、３８  横連結部、４０  縦連結部、４２，８２  連結ピン部材、４４  ピン挿入穴、４６  取付ピン、４７  連結凸部挿入穴、４８  ピン挿入穴、５０  連結凹部、５２  連結凸部、５４  ピン挿入穴、５６  横中間部材、５８，６０，６２  連結穴、６４  縦中間部材、６６  連結穴、７０  連結突起、７４  連結突起挿入穴、７８  ストッパ部材、８０  円柱状脚部、８４  フランジ付きキャップ、９４        ベースプレート。
【図１】
2010143700.tif 000003
【図２】
2010143700.tif 000004
【図３】
2010143700.tif 000005
【図４】
2010143700.tif 000006
【図５】
2010143700.tif 000007
【図６】
2010143700.tif 000008
【図７】
2010143700.tif 000009
【図８】
2010143700.tif 000010
【図９】
2010143700.tif 000011
【図１０】
2010143700.tif 000012
【図１１】
2010143700.tif 000013